(57)【特許請求の範囲】
【請求項１】
複数の育苗箱を載置するための育苗棚において、一対の矩形枠を対向配置して、一方の矩形枠の両側の各側柱と他方の矩形枠の両側の各側柱の間に、複数の側杆を上下に間隔を開けて架け渡し、各矩形枠の略中央に、それぞれの中央柱を昇降自在に支持して、これらの中央柱を位置決め固定するそれぞれの位置決め固定手段を設け、各中央柱の間に、複数の中央杆を上下に間隔を開けて架け渡し、これらの中央杆の外面に、側柱の間に架け渡したそれぞれの側杆に向く係止部を設けた育苗棚。
【請求項２】
複数の育苗箱を載置するための育苗棚において、一対の矩形枠を対向配置して、一方の矩形枠の両側の各側柱と他方の矩形枠の両側の各側柱の間に、複数の側杆を上下に間隔を開けて架け渡し、各矩形枠の上側中央に、それぞれの短杆を垂下させるとともに、これらの矩形枠の下側中央に、それぞれの雄ねじを突設して、これらの雄ねじにそれぞれのナットをねじ込んでおき、一対の中央柱の両端を各矩形枠の短杆と雄ねじに挿通させて、これらの中央柱を昇降自在に支持し、これらの中央柱の下端を各雄ねじのナットに当接させ、各中央柱の間に、複数の中央杆を上下に間隔を開けて架け渡し、これらの中央杆の外面に、側柱の間に架け渡したそれぞれの側杆に向く係止板を設けた育苗棚。
【請求項３】
各中央杆の外面に設けた各係止板は、該各中央杆から離間する程高くなる様に僅かに傾斜しており、各係止板の上面には、滑り止めを設けた請求項２に記載の育苗棚。
【発明の詳細な説明】
【０００１】
【発明の属する技術分野】
この発明は、多数の育苗箱を載置するための育苗棚に関する。
【０００２】
【従来の技術】
この種の棚は、例えば特公昭５１−３１２９４号公報や、特公昭５７−６０６４２号公報等に記載されている。これらは、多数の育苗箱を数段に積み重ねて運搬するためのものであり、これらの育苗箱を傾斜させて載置することにより、これらの育苗箱を安定に支持している。また、各育苗箱を載置しているだけであるから、これらの育苗箱の出し入れが容易である。
【０００３】
一方、各育苗箱を狭いスペース、つまり温室内に保管する場合にも、育苗棚が利用される。ただし、この育苗棚においては、苗を垂直に育成したり、育苗箱の全体を均一に灌水するために、各育苗箱が水平に載置される。
【０００４】
【発明が解決しようとする課題】
このように従来の育苗棚には、各育苗箱を数段に積み重ねて運搬するためのものと、各育苗箱を狭いスペースに保管しておくためのものとがある。しかしながら、前者は、各育苗箱を傾斜させて載置し、後者は、各育苗箱を水平に載置するので、一方が他方の役目を果たすことができなかった。
【０００５】
また、各育苗箱を水平に載置し、これらの育苗箱をボルトやナットによって固定すれば、これらの育苗箱の保管と運搬が可能であるが、この場合には、これらの育苗箱の出し入れが困難になってしまう。
【０００６】
そこで、この発明の課題は、各育苗箱の出し入れが容易であって、運搬のときには、各育苗箱を傾斜させて安定に支持し、苗を育てるときには、各育苗箱を水平に支持することが可能な育苗棚を提供することにある。
【０００７】
【課題を解決するための手段】
上記課題を解決するために、この発明は、複数の育苗箱を載置するための育苗棚において、一対の矩形枠を対向配置して、一方の矩形枠の両側の各側柱と他方の矩形枠の両側の各側柱の間に、複数の側杆を上下に間隔を開けて架け渡し、各矩形枠の略中央に、それぞれの中央柱を昇降自在に支持して、これらの中央柱を位置決め固定するそれぞれの位置決め固定手段を設け、各中央柱の間に、複数の中央杆を上下に間隔を開けて架け渡し、これらの中央杆の外面に、側柱の間に架け渡したそれぞれの側杆に向く係止部を設けている。
【０００８】
すなわち、各矩形枠の間には、複数の側杆、及び複数の中央杆が上下に間隔を開けて架け渡されており、各側杆が各中央杆の両側に配されている。各中央杆の外面の各係止部と各側杆の間には、複数の育苗箱を載置することができる。
【０００９】
また、各中央柱を昇降させて位置決め固定することができるので、これらの中央柱の間に架け渡されている各中央杆を上下に昇降させることができる。これにより、各育苗箱の端を昇降させて、これらの育苗箱を水平にしたり、傾斜させることができる。
【００１０】
【発明の実施の形態】
以下、この発明の実施の形態を添付図面を参照して説明する。
【００１１】
図１は、この発明の育苗棚を実施した１つの形態を示している。また、図２は、この育苗棚を図１のＩ−Ｉに沿って破断して示している。
【００１２】
これらの図から明らかなように、この育苗棚は、一対の矩形枠１，２を対向配置し、これらの矩形枠１，２の間に、複数の側杆３，４、及び複数の中央杆５を架け渡している。
【００１３】
矩形枠１は、各側柱６、上梁７、及び下梁８を備えている。各側柱６は、中空であって、上下に２分割されたもので、上下を継いでなる。上梁７の両端は、下方に直角に折れ曲がっており、この上梁７の両端を各側柱６の上端に嵌合して接続している。また、下梁８の両端は、上方に直角に折れ曲がっており、この下梁８の両端を各側柱６の下端に嵌合して接続している。
【００１４】
同様に、矩形枠２は、各側柱１１、上梁１２、及び下梁１３を備えており、下方に折れ曲がった上梁１２の両端を各側柱１１の上端に嵌合して接続し、上方に折れ曲がった下梁１３の両端を各側柱１１の下端に嵌合して接続している。
【００１５】
また、矩形枠１の略中央には、中央柱１４が設けられている。この中央柱１４は、中空であって、上下に２分割されたもので、上下を継いでなる。この中央柱１４の上端には、上梁７の略中央から垂下する短杆１５が挿通している。また、この中央柱１４の下端には、下梁８の略中央に突設された雄ねじ１６が挿通している。
【００１６】
この雄ねじ１６には、図３に示すように蝶ナット１７が螺合されており、この蝶ナット１７に中央柱１４の下端が当接している。この蝶ナット１７を回動させて上昇させたり、下降させると、これに伴って、中央柱１７が昇降する。
【００１７】
同様に、矩形枠２の略中央には、中央柱１８が設けられている。この中央柱１８の両端には、上梁１２の短杆１９、及び下梁１３の雄ねじ２０が挿通しており、この雄ねじ２０に螺合する蝶ナット２１を回動させれば、この中央柱１８を昇降させることができる。
【００１８】
各側杆３，４は、それらの両端を矩形枠１の各側柱６と矩形枠２の各側柱１１に固定されて、これらの間に架け渡されている。同様に、各中央杆５は、それらの両端を矩形枠１の中央柱１４と矩形枠２の中央柱１８に固定されて、これらの間に架け渡されている。
【００１９】
図４は、中央杆５の断面形状を示している。この図４から明らかなように、中央杆５の両縁には、該中央杆５に沿う帯状の各係止板５ａを有する。これらの係止板５ａは、中央杆５の両縁から側方に向き、やや傾斜して設けられている。
【００２０】
図５は、中央杆５の他の例を示している。ここでは、各係止板５ａの上面に凹凸５ｂを形成し、これらの係止板５ａの上面を滑り難くしている。
【００２１】
なお、各係止板５ａの上面の滑り止めとして、これらの係止板５ａの上面に多数の小突起を形成したり、ゴムや合成ゴムの帯を貼り付けても構わない。
【００２２】
さて、このような構成の育苗棚においては、図６に示すような態様で複数の育苗箱２２が載置される。すなわち、最上段の中央杆５の各係止板５ａと、この中央杆５の両側の各側杆３，４の間には、８枚の各育苗箱２２が両側に振り分けられて載置され、２段目の中央杆５の各係止板５ａと、その両側の各側杆３，４の間にも、８枚の各育苗箱２２が振り分けられて載置され、以降同様に３段目〜８段目にも、８枚の各育苗箱２２がそれぞれ載置される。
【００２３】
この図６の状態では、各育苗箱２２が育苗棚の各中央杆５の側で低くなるように傾斜しており、これらの育苗箱２２の一端が各中央杆５の各係止板５ａによって支持されている。このため、この育苗棚に対して、多少の振動が作用しても、各育苗箱２２が落下することはなく、これらの育苗箱２２が安定に支持される。したがって、この育苗棚をトラックの荷台に積載して運送しても支障はない。
【００２４】
図５に示す様に各係止板５ａの上面に凹凸５ｂを形成しておけば、振動によって、各育苗箱２２がずれ落ちることもなく、より安定な支持が可能になる。
【００２５】
また、この育苗棚に各育苗箱２２を載置しておき、各中央柱１４，１８の下方の各蝶ナット１７，２１を回動させると、これらの中央柱１４，１８が上昇するので、各中央杆５も上昇する。これにより、各育苗箱２２の一端が持ち上がって、これらの育苗箱２２が水平になる。この状態で、各育苗箱２２を灌水すると、これらの育苗箱２２毎に、育苗箱２２の全体が均一に灌水され、各育苗箱２２の苗を斑無く育成することができる。
【００２６】
このように各育苗箱２２を傾斜させておけば、これらの育苗箱２２が安定に支持されるので、この育苗棚をトラックの荷台に積載して運送することができ、また各蝶ナット１７，２１によって各育苗箱２２を水平にすれば、各育苗箱２２の灌水を均一に行うことができ、各育苗箱２２の苗を斑無く育成することができる。勿論、各育苗箱２２を該育苗棚に載置しているだけであるから、これらの育苗箱２２の出し入れは容易である。
【００２７】
なお、この実施形態の育苗棚は、上下に２分割された各側柱６，１１、及び各中央柱１４，１８を適用しているので、これらの柱の上側部分を取り外して、これらの柱の下側部分の上端に、各上梁７，１２を取り付けることができる。この場合は、各育苗箱２２を４段に分けて載置することとなり、この育苗棚に載置される各育苗箱２２の枚数が半減する。
【００２８】
ところで、この発明は、この実施形態に限定されるものでなく、様々な変形が可能である。例えば、各中央柱を昇降自在に支持して、これらの中央柱を位置決め固定するために、この実施形態に示すものとは異なる構造を適用することができる。また、各中央杆の形状を適宜に変形しても構わない。
【００２９】
【効果】
以上説明したように、この発明の育苗棚によれば、各育苗箱の出し入れが容易であって、運搬のときには、各育苗箱を傾斜させて安定に支持し、苗を育てるときには、各育苗箱を水平に支持することができる。
【図面の簡単な説明】
【図１】この発明の育苗棚を実施した１つの形態を示す斜視図
【図２】図１のＩ−Ｉに沿って破断して示す断面図
【図３】図１の育苗棚における雄ねじ及び蝶ナットの周辺を拡大して示す断面図
【図４】図１の育苗棚における中央杆を示す断面図
【図５】中央杆の他の例を示す断面図
【図６】図１の育苗棚に各育苗箱を載置した態様を説明するために用いた斜視図
【符号の説明】
１，２  矩形枠
３，４  側杆
５  中央杆
６，１１  側柱
７，１２  上梁
８，１３  下梁
１４，１８  中央柱
１５，１９  短杆
１６，２０  雄ねじ
１７，２１  蝶ナット
【図１】
0003816574.tif 000002
【図２】
0003816574.tif 000003
【図３】
0003816574.tif 000004
【図４】
0003816574.tif 000005
【図５】
0003816574.tif 000006
【図６】
0003816574.tif 000007